(57)【要約】【課題】  公転運動を行なう球体や公転運動を行ないつつ自転運動を行なう球体によって身体を擦るようにしたマッサージ器具に関して、これまでのものからは得られないようなより複雑な刺激を与えることが出来るマッサージ器と、その主要な部品である球体付き回転体の提供を課題とする。【解決手段】  （１）回転軸に取り付ける複数組の回転板と球体との組に付いて、回転軸に反転ギヤ列を介して取り付けて成る組を設けた。（２）また回転軸に取り付ける複数組の回転板と球体との組に付いて、回転軸に対して偏心して取り付けて成る組を設けた。【選択図】図１
2008212615.tif 000002
【特許請求の範囲】
【請求項１】
回転軸に取り付けた２枚の回転板の間に複数個の球体を、回転板の外周部に添って且つ回転板の外周部よりも外側に球体の外周部が出るようにして、回転可能に設けると共に、これと同様の構成の回転板と球体との組を、前記回転軸に反転ギヤ列を介して取り付けて成ることを特徴とする、球体付き回転体。
【請求項２】
周囲に複数個の球体を備えた回転板を回転軸に取り付けると共に、これと同様の構成の回転板と球体との組を、前記回転軸に反転ギヤ列を介して取り付けて成ることを特徴とする、球体付き回転体。
【請求項３】
前記反転ギヤ列とこれに係る前記回転板の中に前記回転軸を遊びを設けて貫通させて成る、請求項１または請求項２に記載の球体付き回転体。
【請求項４】
同方向に回転する前記回転板と球体との組を複数組並べて設けて成る、請求項１または請求項２に記載の球体付き回転体。
【請求項５】
正方向に回転する前記回転板と球体との組と、逆方向に回転する前記回転板と球体との組と、を交互に配設して成る請求項１または請求項２に記載の球体付き回転体。
【請求項６】
前記回転軸に前記回転板を偏心して取り付けて成る、請求項１または請求項２に記載の球体付き回転体。
【請求項７】
前記回転軸にカムを取り付け、このカムを前記回転板の中心に開けた孔部に填め込んでこのカムで前記孔部を押すように設けて成る、請求項１または請求項２に記載の球体付き回転体。
【請求項８】
複数の前記回転板の間で偏心方向が異なるように設けて成る、請求項６または請求項７に記載の球体付き回転体。
【請求項９】
回転軸に取り付けた２枚の回転板の間に複数個の球体を、回転板の外周部に添って且つ回転板の外周部よりも外側に球体の外周部が出るようにして、回転可能に設け、この構成の回転板と球体との組を複数組、前記回転軸に偏心して取り付けて成ることを特徴とする、球体付き回転体。
【請求項１０】
周囲に複数個の球体を備えた回転板を複数組、回転軸に偏心して取り付けて成ることを特徴とする、球体付き回転体。
【請求項１１】
前記回転軸にカムを取り付け、このカムを前記回転板の中心に開けた孔部に填め込んでこのカムで前記孔部を押すように設けて成る、請求項１０または請求項１１に記載の球体付き回転体。
【請求項１２】
複数の前記回転板の間で偏心方向が異なるように設けて成る、請求項１０または請求項１１の球体付き回転体。
【請求項１３】
請求項１〜請求項１２の何れか一に記載の球体付き回転体を備えており、前記回転軸をモータで回転させるように設けて成ることを特徴とするマッサージ器。
【請求項１４】
前記球体を覆うための柔軟な素材から成るカバーが掛けられている請求項１３に記載のマッサージ器。
【請求項１５】
このマッサージ器にさらにバイブレータが設けられている請求項１３に記載のマッサージ器。
【発明の詳細な説明】
【技術分野】
【０００１】  この発明は公転運動を行なう球体や公転運動を行ないつつ自転運動を行なう球体によって身体を擦るためのマッサージ器具と、その部品である球体付き回転体とに関する。より詳しくは正回転をする球体付き回転体と逆回転をする球体付き回転体とを備えている点や、偏心回転を行なう球体付き回転体を備えている点に特徴を有するものである。
【背景技術】
【０００２】  特開２００４−３２９８３４のマッサージ器具は当発明者の発明になるものであるが、球体付き回転体に関して、図１及び図４で示すように、モータの回転軸に取り付けられた複数枚の円板の各々相対する面に軸受けの凹部が形成されており、この凹部に球体をはめ込むようにして、球体を円板で挟み付けて成るものである。【０００３】  そしてモータをＯＮ状態にすることによって円板ごと球体を公転運動させ、この球体を身体所要部に当てるようにしてマッサージを行なうものである。この際に球体自体が円板の凹部の中で凹部から外れることなく自転運動を行なって、身体に心地良いマッサージ刺激を与えることが出来る。
【特許文献１】特開２００４−３２９８３４（図１、図４）
【発明の開示】
【発明が解決しようとする課題】
【０００４】  確かに特開２００４−３２９８３４のマッサージ器具では、身体に当てられた回転する球体によって一定のマッサージ効果を上げることが出来るのであるが、刺激が単調になりやすいと言う不満が出る場合があり、新たな刺激を加え得るようなマッサージ器の出現が望まれている。【０００５】  そこでこの発明は、上述したような構造のマッサージ器具のものからは得られないようなより複雑な刺激を与えることが出来るマッサージ器とその主要な部品である球体付き回転体の提供を課題とする。
【課題を解決するための手段】
【０００６】  当発明者は鋭意研究の結果、従来のこの種のマッサージ器はどれも、モータの回転に伴って球体付き回転体が一斉に同方向に公転運動を行なうものであるために、身体に与える刺激が単調になりやすいのであると言うことが分かった。そこで当発明者は、球体付き回転体の中に逆方向の公転運動を行なう部位を設ければ良いと言う知見を得た。【０００７】  またこれまでのこの種のマッサージ器はどれも、公転する時に球体の最外周部分が描く軌跡の形が単純な円筒状であるために、身体に与える刺激が単調になりやすいのであると言うことが分かった。そこで当発明者は、複数個の球体付き回転体に関して、それぞれが描く軌跡が異なるように構成すれば良いと言う知見を得た。【０００８】  すなわち上記課題は、回転軸に取り付けた２枚の回転板の間に複数個の球体を、回転板の外周部に添って且つ回転板の外周部よりも外側に球体の外周部が出るようにして、回転可能に設けると共に、これと同様の構成の回転板と球体との組を、前記回転軸に反転ギヤ列を介して取り付けて成る球体付き回転体とすることにより、またこのような球体付き回転体を備えたマッサージ器とすることによって解決される。また上記課題は、周囲に複数個の球体を備えた回転板を回転軸に取り付けると共に、これと同様の構成の回転板と球体との組を、前記回転軸に反転ギヤ列を介して取り付けて成る球体付き回転体とすることにより、またこのような球体付き回転体を備えたマッサージ器とすることによって解決される。なお後者では回転板の周囲に複数個の球体を備えているが、球体は完全な球体とは限られず、半球体等であってもよい。また例えば球体はその一部を回転板の周囲に埋め込むようにして設けたり、略半球体をその平面部分で回転板の周囲に接着固定して設けたりしても良い。【０００９】  このような球体付き回転体はモータの回転軸に取り付けられるが、前記反転ギヤ列を介さずに取り付けられているものでは、この回転軸の回転方向と同じく正回転するのであるが、これに対し反転ギヤ列を介して取り付けられているものでは、モータの回転軸の回転方向とは逆の回転運動を行う。従って球体付き回転体に正逆２方向の回転が混在することになり、これに触れる身体部分が受ける感触が以前のものよりも複雑になり、満足度が高まってマッサージ効果を上げることが出来るのである。【００１０】  なお、前記反転ギヤ列とこれに係る前記回転板の中に前記回転軸を遊びを設けて貫通させて成るものとすることが出来る。これを貫通した前記回転軸には更に別の正回転する前記球体付き回転体を設けることが可能であり、更に反転ギヤ列と逆の回転運動をさせたい球体付き回転体を、と言うように前記球体付き回転体を増設することが可能である。またこの場合、同方向に回転する回転体を複数個並べて設けたり、正方向に回転する回転体と逆方向に回転する回転体とを交互に配設することも可能である。【００１１】  なお、前記回転軸に前記回転板を偏心して取り付けて成るものとすれば、前記２枚の回転板とこの間に回転可能に設けられた複数個の球体との組、または前記回転板とその周囲に固定的に設けられた複数個の球体との組、に関してそれぞれの組が描く軌跡が単純な円状ではなくなるため、より複雑な刺激を身体に与えることが出来る。またこれと同じ動作は、前記回転軸にカムを取り付け、このカムを前記球体付き回転体の中心に開けた孔部に填め込んで、このカムで前記孔部を押すように設けて成るものとしても実現可能である。カムの凸部に押される方向に前記球体付き回転体が偏心して回転するからである。更にこの何れの構成であっても複数の前記球体付き回転体の間で偏心方向が異なるように設けることで、前記組の集合体に、より複雑な動作を行わせ、身体に新たな刺激を加えることが可能となる効果を上げている。【００１２】  また上記課題は、回転軸に取り付けた２枚の回転板の間に複数個の球体を、回転板の外周部に添って且つ回転板の外周部よりも外側に球体の外周部が出るようにして、回転可能に設け、この構成の回転板と球体との組を複数組、前記回転軸に偏心して取り付けて成る球体付き回転体とすることにより解決される。またこのような球体付き回転体を備えたマッサージ器とすることによって解決される。また上記課題は、周囲に複数個の球体を備えた回転板を複数組、回転軸に偏心して取り付けて成る球体付き回転体とすることにより解決される。またこのような球体付き回転体を備えたマッサージ器とすることによって解決される。なお後者では回転板の周囲に複数個の球体を備えているが、球体は完全な球体とは限られず、半球体であってもよい。また例えば球体はその一部を回転板の周囲に埋め込むようにして設けたり、略半球体をその平面部分で回転板の周囲に接着固定して設けたりしても良いことは上述した通りである。【００１３】  この球体付き回転体もモータの回転軸に取り付けられるが、重要な点は偏心して取り付けられていることであり、これにより描く軌跡が単純な円状ではなくなるため、より複雑な刺激を身体に与えることが出来るのである。なお回転軸に対して偏心して取り付けて成る組は、全ての組であっても一部の組であっても良い。しかしながら大多数の組が偏心して取り付けられている方がより好ましい。【００１４】  なお、前記回転軸にカムを取り付け、このカムを前記回転板の中心に開けた孔部に填め込んでこのカムで前記孔部を押すように設ける構成としても良い。これによれば前記カムの凸部に押される方向に前記回転板が偏心して回転する。【００１５】  また複数の前記回転板の間で偏心方向が異なるように設けて成るものとすることが出来る。これにより前記回転板と球体との組の集合体により複雑な動作を行わせて、新たな刺激を身体に与えることが可能である。【００１６】  さてこの発明は、上述したような球体付き回転体を備えた回転軸をモータで回転させるように設けて成るマッサージ器を提供することが出来る。この球体付き回転体を備えたマッサージ器の作用効果は上述した通りである。なおモータに電力を供給するための電源（乾電池など）やスイッチや、場合によっては回転制御回路などをこのマッサージ器に内蔵するようにも設計し得るし、或いはこれ等を別に設けたコントローラに内蔵させてそこからマッサージ器に配線するようにも設計することが可能である。【００１７】  このようなマッサージ器に前記球体を覆うための柔軟な素材から成るカバーを掛けて成るものとすることが出来る。すなわち例えば、マッサージ器の球体付き回転体から先端部に掛けてら柔軟な素材のカバーを被せるようにするのである。このカバーにはゴム素材のもの、プラスチック素材のもの、布素材のものなどで柔軟なものが任意に利用可能である。身体のデリケートな部位に触れる球体などの部位がカバーで覆われているため、当たりがソフトなものと成って、効果的なマッサージ作用が得られる。あるいは好みのカバーに交換し得るように、カバーを本体に対して着脱自在とするなどもよい。このような構成であるため身体皮膚に対してはこのカバーの裏側から回転刺激を加えるようになる。従ってこのようなカバーを介しの当りはソフトなものであり、やはり心地良いものである。【００１８】  なおモータの回転軸に軸受けを設ける場合では、前記カバーでこの軸受けを係止するように設けて成るものとすることが出来る。上述したようにモータの回転軸には前記球体付き回転体などが設けられるため、これ等をブレることなく回転させるためにはモータの回転軸に軸受けを設ける方がより好ましくある。そこでこの軸受けをどこで支えるかであるが、前記カバーでこれを係止させて支える構成が可能である。【００１９】  更に上述したようなマッサージ器にバイブレータが設けられているものとすることが出来る。このバイブレータとしては偏心重錘を有するモータに電池とスイッチとが接続されているものなどを例に上げることが出来る。この場合モータの回転によって偏心重錘が回転するが、偏心重錘であるが故に振動を発生するのである。従ってバイブレータからの振動刺激を加えつつ、この発明の球体付き回転体によるマッサージ刺激を与えることが可能であり、２つの異なる刺激で相乗効果を上げることが出来るのである。【００２０】  なおこのマッサージ器本体から分岐する突出部を設けて、そこにバイブレータを納めた構成とすることが可能である。またこの突出部はこのマッサージ器本体とは別の身体部位をマッサージする目的に使用し得るように構成することが可能である。
【発明の効果】
【００２１】  この発明は、複数の球体付き回転体の中に逆方向の回転運動を行なう回転体を設けたり、それぞれの回転体が描く軌跡が異なるように構成している。これによって身体により複雑な新感覚のマッサージ刺激を与えることが出来るようになっている。
【発明を実施するための最良の形態】
【００２２】  第１実施形態
図１及び図２はこの実施形態の球体付き回転体を表わしたものである。各々６個の球体とこれ等の球体を挟む２枚の回転板との組が３組設けられている。図２で示したように２枚の回転板２０，２０の各々相対する面に球体受けとなる凹部２３が形成されており、この凹部２３に球体２をはめ込むようにして、この凹部２３内で全方向に回転自在となるように球体２を２枚の回転板２０，２０で挟んで成るものである。なお回転板２０，２０の間は連結軸２１で結ばれている。この構成は球体１と回転板１０との組でも同様である。また球体１と回転板１０との組は２組用いられている。この２組は同方向に回転するものであり、これに対して前記球体２と回転板２０との組は逆回転するものである。なお６個ある球体１も球体２も、回転板１０や回転板２０の外周部に添って且つ回転板の外周部よりも外側に球体の外周部が出るようにして、回転可能に設けられている。【００２３】  図１で示したように回転軸４１には第１の球体１と回転板１０との組（図１では最下段のもの）が固定されている。２枚の回転板１０，１０をその中心部で接続する連結軸１１に前記回転軸４１を挿通させて、上記組を回転軸４１に固定して成る。従ってこの組は回転軸４１の回転方向と同一の方向に回転する。更に回転軸４１には上記組の上段に球体１と回転板１０との組、及びこれに連結された透明ケース３が、遊軸孔２２，３０に前記回転軸４１を通すようにして取り付けられている。前記透明ケース３には反転ギヤ列が納められている。この反転ギヤ列は図１で上側となるクラウンギヤ３１と下側となるクラウンギヤ３３とを向かい合わせに配置してその間にピニオンギヤ３２を噛合させて成るものであるが、上側となるクラウンギヤ３１が回転軸４１に固定されているのに対して、下側となるクラウンギヤ３３は回転軸４１に固定されておらず、このクラウンギヤ３３は前記透明ケース３に固定されている。なおピニオンギヤ３２は透明ケース３の側壁に回転軸で回転自在に取り付けられている。更に前記透明ケース３より先では第２の球体１と回転板１０との組が回転軸４１に固定されている（図１では最上段に描かれている）。従ってこの組も回転軸４１の回転方向と同一方向に回転するものとして設けられている。【００２４】  回転軸４１を回転させると、上述したように回転軸４１に固定されている回転板１０とクラウンギヤ３１とだけが回転軸４１と同一方向に回転する。クラウンギヤ３１の回転はピニオンギヤ３２を介してクラウンギヤ３３に逆方向への回転運動を起こさせる。このクラウンギヤ３３は透明ケース３に固定されており透明ケース３は遊軸孔３０で回転軸４１に通されているだけであるから、回転軸４１とは逆方向に回転する。この透明ケース３には回転板２０が固定されているが、この回転板２０自体もその連結軸２１が前記回転軸４１に対しては遊軸孔２２で通されているだけであるため、回転軸４１と逆方向に回転することが出来るのである。なお２組の回転板１０は何れも回転軸４１に固定されており、同一の方向へ回転する。この２組の回転板１０に挟まれる形で回転板２０が逆方向へ回転するのである。【００２５】  球体１と回転板１０との組が２組、この間に挟まれる球体２と回転板２０とによる１組、が回転した時に、球体１，２が身体に接触していると、球体１，２は自転運動を行なう。図１で球体１の矢線方向の回転と球体２の矢線方向の回転とは逆になることが了解される。何れにせよ身体にはそれぞれの組が描く軌跡が交互に異なるように知覚される。このことによって身体により複雑な新感覚のマッサージ刺激を与えることが出来るのである。なお図１で球体１，２に接する鎖線は柔軟な合成樹脂製のカバー５０であり、このカバー５０がある場合にはマッサージ刺激はこのカバー５０を介して身体に伝達される。またこのカバー５０の少なくとも球体１，２に接触する部位が透明な素材で構成されているものとすれば、内部で正逆回転している球体１，２をカバー５０を透して見ることが出来る。これは以下で述べる他の実施形態に付いても同様である。【００２６】  第２実施形態
図３で表わされているこの実施形態のマッサージ器は、上述した第１実施形態の球体付き回転体を組み込んで成るものである。すなわちマッサージ器のケース５にはモータ４とこの回転軸の回転数を下げるためのギヤボックス４０とモータ４に電力を供給するための乾電池（図示せず）とが納められており、このモータ４をＯＮ／ＯＦＦするためのスイッチ４３がケース５の底部に設けられている。このモータ４の回転軸４１には前記球体付き回転体が取り付けられており、更に先方は屈曲されて屈曲軸４２とされて成る。そしてケース５から露出する前記球体付き回転体から屈曲軸４２までを、シリコン製のカバー５０で覆って成る。【００２７】  前記球体付き回転体の回転運動によって球体１，２がカバー５０を介して身体をマッサージする。特にこの球体１，２には回転軸というものが存在しないために球体１，２が全方向に回転可能と成っており、身体に対していろいろな方向に動かし、当て方を変えてマッサージを行なうことが可能と成っている。この実施形態のマッサージ器は、全体としてスティック状を呈しているため、身体の殊に女性の膣内部の筋肉をマッサージしてその感覚を十分に鍛練することが出来る。またモータ４がＯＮ状態になると屈曲軸４２が首振り運動を行ない、これが前記カバー５０に首振り運動させて膣内部の筋肉に上記とは異なる刺激を与えるのである。なお前記カバー５０の形状は任意であり、人形や動物等の具象形状とするなども好ましい。【００２８】  なおこの実施形態のマッサージ器には、前記ケース５の途中から分岐する分岐ケース５１が設けられており、この分岐ケース５１にはモータ６が納められており、このモータ６の回転軸６０に偏心重錘６１が固定されている。ここで言う偏心重錘とは、重錘が重量バランスを壊して回転軸６０に固定されたものを言い、このような偏心重錘６１を回転させるとモータ６の全体延いては分岐ケース５１やケース５にまで振動が伝わるのである。従ってこの分岐ケース５１の部位は、バイブレータとしてのマッサージ器の役割を担うものである。なお前記ケース５の底面には前記スイッチ４３と共にモータ６をＯＮ／ＯＦＦするためのスイッチ６２が取り付けられており、このスイッチ６２と図示しない電池とモータ６とが直列に配線されている。【００２９】  第３実施形態
さて図４及び図５はこの実施形態の球体付き回転体を表わしたものである。各々６個の球体とこれ等の球体を挟む２枚の回転板との組から成る。図５で示したように２枚の回転板７０，７０の各々相対する面に球体受けとなる凹部７１が形成されており、この凹部７１に球体７をはめ込むようにして、凹部７１内で全方向に回転自在となるように、球体７を２枚の回転板７０，７０で挟んで成るものである。このような構成の回転板７０と球体７との組を４組、各々、回転板７０の中心部から偏心させて開孔した偏心軸孔７２，７３，７４，７５を以て回転軸４１に固定して成る。【００３０】  従って回転軸４１を回転させると、図４から明らかとなるように、各々の組が偏心状態で且つ長径部がずれた状態で回転運動を行うため、各部の球体７に触れている身体にはそれぞれの組が描く軌跡が別々に波打つように知覚される。このことによって身体により複雑な新感覚のマッサージ刺激を与えることが出来るのである。【００３１】  第４実施形態
次に図６はこの実施形態の球体付き回転体を表わしたものである。円筒形状の回転板１３の周囲には回転対称となる６ヶ所の部位に、球体１２を填め込むための凹部１４が設けられており、ここに球体１２が接着固定されている。また同様に回転板２５の周囲の凹部２６に球体２４が填め込まれている。前記回転板１３は２組あるが、これ等は直接回転軸４１に固定されている。これに対して前記回転板２５は前記回転軸４１に反転ギヤ列を介して取り付けられている。この反転ギヤ列であるが、第１実施形態でも説明したように、透明ケース３に反転ギヤ列が納められており、この反転ギヤ列は図６で上側となるクラウンギヤ３１と下側となるクラウンギヤ３３とを向かい合わせに配置してその間にピニオンギヤ３２を噛合させて成るものであるが、上側となるクラウンギヤ３１が回転軸４１に固定されているのに対して、下側となるクラウンギヤ３３は回転軸４１に固定されておらず前記透明ケース３に固定されている。ピニオンギヤ３２は透明ケース３の側壁に回転軸で回転自在に取り付けられている。更に前記透明ケース３より先では上述したように第２の球体１２と回転板１３との組が回転軸４１に固定されている（図６では最上段に描かれている）。従ってこの組も回転軸４１の回転方向と同一方向に回転するものとして設けられている。【００３２】  回転軸４１を回転させると、上述したように回転軸４１に固定されている回転板１３とクラウンギヤ３１とだけが回転軸４１と同一方向に回転する。クラウンギヤ３１の回転はピニオンギヤ３２を介してクラウンギヤ３３に逆方向への回転運動を起こさせる。このクラウンギヤ３３は透明ケース３に固定されており透明ケース３は遊軸孔３０で回転軸４１に通されているだけであるから、回転軸４１とは逆方向に回転する。この透明ケース３には回転板２５が固定されているが、この回転板２５自体も前記回転軸４１に対しては遊軸孔２７で通されているだけであるため、回転軸４１と逆方向に回転することが出来るのである。【００３３】  前記２組の回転板１３は何れも回転軸４１に固定されており、同一の方向へ回転する。この２組の回転板１３に挟まれる形で回転板２５が逆方向へ回転する。従って身体にはそれぞれの組が描く軌跡が交互に異なるように知覚される。このことによって身体により複雑な新感覚のマッサージ刺激を与えることが出来るのである。なお図６に描かれている球体１２，２４に接する鎖線は柔軟な合成樹脂製のカバー５０であり、このカバー５０があると、マッサージ刺激はこのカバー５０を介して身体に伝達される。このカバー５０の少なくとも球体１２，２４に接触する部位が透明な素材で構成されているものとすれば、内部で正逆回転している球体１２，２４をカバー５０を透して見ることが出来ることは上述した通りである。【００３４】  第５実施形態
さて図７はこの実施形態の球体付き回転体を表わしたものである。各々６個の半球体７６とこれ等の半球体７６を周囲に接着した回転板７７との組から成る。円筒形状の回転板７７の周囲には回転対称となる６ヶ所の部位に、半球体７６をその平面部で接着するための接着座７８が設けられており、ここに半球体７６が接着固定されている（なお半球体７６も身体を押す部位からすれば球体と同じである）。また前記回転板７７には偏心孔７８が開孔されており、この偏心孔７８に上述した回転軸４１に通して固定するための軸孔８０を有するカム８が填め込まれる。【００３５】  従って回転軸４１を回転させると、回転板７７の偏心孔７８が偏心回転運動を行うカム８に押されて、回転板７７が偏心回転運動を行なうことに成る。従ってこのような構成の回転板７７と半球体７との組を例えば４組、各々、前記カム８に填め込んで取り付けておけば、且つカム８ごとに偏心方向を違えて回転軸４１に固定しておけば、各々の回転板７７が偏心状態で回転運動を行うため、各部の半球体７６の球面部分に触れている身体には、それぞれの組が描く軌跡が別々に波打つように知覚される。このことによって身体に対してはより複雑な新感覚のマッサージ刺激を与えることが出来るのである。【００３６】  この他の実施形態
以下では図面を用いずに説明するが、上述の実施形態を参照すれば理解は容易である。まず第１実施形態のクラウンギヤ３３の方を回転軸４１に固定し、回転軸４１から自由に設けたクラウンギヤ３１の側にその先の回転板と球体との組を固定すれば、この組に逆転運動を起させることが出来るが、この際に遊軸孔の構成を不要とすることが出来る。【００３７】  第１実施形態の回転板２０と球体２との組を複数組連結することも可能であり、これは他の組すなわち回転板１０と球体１との組に付いても同様に実施することが出来る。【００３８】  透明ケース３は透明である必要はないのであるが、上記では内部構造が見えるように透明としてある。なおこのケースの外周部分に球体を取り付ける構成も可能である。また球体には真珠玉や磁石玉やトルマリン玉などを用いることが、可能であり各々の素材が有する効能を亨受し得る。【００３９】  また第１実施形態の回転板と球体との組を回転軸４１に偏心して取り付ける構成が可能である。これは第１実施形態と第３実施形態とを併せたような構成であると言うことが出来る。【００４０】  また回転板が前記回転軸に対して非直角に（傾斜して）取り付けられて成るものとすることが出来る。回転板には回転板の外周部に沿って球体が回転自在に取り付けられているが、回転板がモータの回転軸に対して傾斜して取り付けられているために、球体全体としては波を打つような軌跡を描いて身体に接触しているような感覚を与えることが出来るのである。【００４１】  また回転板に球体を取り付けるのに、上述した実施形態では回転板に球体受けとなる凹部を形成し、この凹部に球体をはめ込むようにして球体を凹部回転自在としている。しかしながらこの構成に限定されることはないから、例えば回転板の各々相対する面に軸受けの溝部を形成し、この溝部に球体を、この球体に設けた回転軸をはめ込むようにして、球体を回転板で挟み付けて成るものを上げることが出来る。またこのように回転軸で球体を軸支するのであれば、球体の表面にマッサージに変化を付けるための凹凸を付けるなどの構成が可能となる。なおこれまでは回転板に円板を用いて来たが、必ずしも円板でなくともよく、正多角形状のものや、これ等の形を崩したものなどが適宜利用可能である。また必ずしもいわゆる板状でなくてよい。また球体には全て同じものを使わなくてはならないと言うような限定もないから、例えば回転板に大小２種類の球体を交互に配設するなども可能である。大小の球体はその曲率が異なるため、身体に接触した時に当たりが異なって感じられて、マッサージにもリズミカルな変化を加えることが出来るのである。
【産業上の利用可能性】
【００４２】  なおこの発明は上述した実施形態に限定されないから、上述のように回転板や球体の素材や大きさの選択は任意であり、同一の層内に於いて外周部の球体の内側に別の球体を配設することも可能である。【００４３】  またマッサージ器具としては、実施形態で説明した屈曲軸４２の屈曲構成やこれに合わせたカバー５０の構成などは必須ではない。またカバー５０そのものも必須ではないから、球体が直接身体に接触し得るような構成も可能である。なおマッサージ器具に於ける電池をケース５とは別のケースに納めてコントローラとする構成も出来る。また電源には乾電池の他に家庭用電源から電力を得るための電源アダプターなどを利用してもよい。モータを制御回路に接続し、制御回路に幾つもの異なるモータの回転パターンを設定しておき、これ等からユーザーが好みのパターンを選択し得るように設計することも可能である。
【図面の簡単な説明】
【００４４】
【図１】  第１実施形態の球体付き回転体の模式図である。
【図２】  同実施形態の回転板２０の底面図である。
【図３】  第２実施形態のマッサージ器の内部模式図である。
【図４】  第３実施形態の球体付き回転体の模式図である。
【図５】  同実施形態の回転板７０の底面図である。
【図６】  第４実施形態の球体付き回転体の模式図である。
【図７】  第５実施形態の回転板７７の底面図である。
【符号の説明】
【００４５】１    球体
１０  回転板
１１  連結軸
１２  球体
１３  回転板
１４  凹部
２    球体
２０  回転板
２１  連結軸
２２  遊軸孔
２３  凹部
２４  球体
２５  回転板
２６  凹部
２７  遊軸孔
３    透明ケース
３０  遊軸孔
３１  クラウンギヤ
３２  ピニオンギヤ
３３  クラウンギヤ
４    モータ
４０  ギヤボックス
４１  回転軸
４２  屈曲軸
４３  スイッチ
５    ケース
５０  カバー
５１  分岐ケース
６    モータ
６０  回転軸
６１  偏心重錘
６２  スイッチ
７    球体
７０  回転板
７１  凹部
７２  偏心軸孔
７３  偏心軸孔
７４  偏心軸孔
７５  偏心軸孔
７６  半球体
７７  回転板
７８  接着座
７９  偏心孔
８    カム
８０  軸孔
【図１】
2008212615.tif 000003
【図２】
2008212615.tif 000004
【図３】
2008212615.tif 000005
【図４】
2008212615.tif 000006
【図５】
2008212615.tif 000007
【図６】
2008212615.tif 000008
【図７】
2008212615.tif 000009